(57)【要約】【課題】夜間や、停電時などの暗い状態において、発光して避難方向を示す発光誘導部材を有する側溝用蓋の提供。【解決手段】略方形状のコンクリート製の蓋本体を有し、該蓋本体には、側溝方向に並べて複数の貫通孔を有し、前記蓋本体の表面には、前記貫通孔に跨った配置に波板状の補強部材を有し、該補強部材は、前記蓋本体に表面が露出して埋設され、前記補強部材の表面には、前記側溝と平行に通水溝が複数形成され、該通水溝の底を構成する底板における前記貫通孔に対応する位置に水抜き穴を有する側溝用蓋において、前記通水溝内に、少なくとも表面に蓄光材を一体に有する細長状の発光誘導部材を嵌合させて誘導方向を示している。【選択図】図１
2008184743.tif 000002
【特許請求の範囲】
【請求項１】
略方形状のコンクリート製の蓋本体を有し、該蓋本体には、側溝方向に並べて複数の貫通孔を有し、前記蓋本体の表面には、前記貫通孔に跨った配置に波板状の補強部材を有し、該補強部材は、前記蓋本体に表面が露出して埋設され、前記補強部材の表面には、前記側溝と平行に通水溝が複数形成され、該通水溝の底を構成する底板における前記貫通孔に対応する位置に水抜き穴を有する側溝用蓋において、
前記通水溝内に、少なくとも表面に蓄光材を一体に有する細長状の発光誘導部材を嵌合させ、
該発光誘導部材は、先端が平面視先細り形状に形成され、該先端が誘導方向を向く配置に設けられていることを特徴とする側溝用蓋。
【請求項２】
略方形状のコンクリート製の蓋本体を有し、該蓋本体には、側溝方向に並べて複数の貫通孔を有し、前記蓋本体の表面には、前記貫通孔に跨った配置に波板状の補強部材を有し、該補強部材は、前記蓋本体に表面が露出して埋設され、前記補強部材の表面には、前記側溝と平行に通水溝が複数形成され、該通水溝の底を構成する底板における前記貫通孔に対応する位置に水抜き穴を有する側溝用蓋において、
前記通水溝内に、少なくとも表面に蓄光材を一体に有する細長状の発光誘導部材を嵌合させ、
該発光誘導部材は、誘導方向前方側と誘導方向後方側に分けて複数配置され、
前記誘導方向後方側よりも前記誘導方向前方側の前記発光誘導部材の数が少ないことを特徴とする側溝用蓋。
【請求項３】
前記水抜き穴の前記側溝方向の長さを、前記貫通孔の前記側溝方向の長さよりも小さく形成し、前記水抜き穴の開口縁部を前記貫通孔に突出させて爪係合部となし、
前記発光誘導部材の長さ方向両端下部には、該発光誘導部材の下方に突出し、前記水抜き穴内に挿入される脚部を備え、
該脚部には、前記発光誘導部材の長さ方向内側に突出し、前記爪係合部に係合される爪部を有し、
前記発光誘導部材が、前記脚部と前記爪部によって、前記通水溝の底板の前記水抜き穴と水抜き穴の間である水抜き穴間部を抱持して固定されている請求項１又は２の何れか１に記載の側溝用蓋。
【請求項４】
前記発光誘導部材の前記蓋本体表面側の面が、前記発光誘導部材の幅方向中心部が凹むように形成されている請求項１，２又は３の何れか１に記載の側溝用蓋。
【発明の詳細な説明】
【技術分野】
【０００１】
本発明は、主として道路に沿って存在する側溝の蓋として使用される発光誘導部材を有する側溝用蓋であって、夜間或いは停電時などの暗い状態において、側溝用蓋に備えられた発光誘導部材が発光することによって、道路等を通行する人や車を所望の方向に誘導する側溝用蓋に関する。
【背景技術】
【０００２】
従来、側溝に設置する蓋として、図１４に示す形状のものがある。（特許文献１）
これは、コンクリート製の溝蓋５０に、凹凸面５２，５３を有する水抜き金具５１を埋め込み、この水抜き金具５１の凹面５２，５２……には、溝蓋５０の表裏に貫通開口している開口の位置に合せて、水抜き口５４，５４……を穿ってなる溝蓋５０である。
【０００３】
また、側溝に設置する蓋に発光機能を持たせたものとしては、グレーチングの格子の間に蓄光体受部材を架設させ、この蓄光体受部材の上に蓄光体をグレーチングの表面から突出しないように固定しているものがある。（特許文献２）
これは、図１５に示すように、側溝の幅方向に伸びる複数のメインバー６２，６２……と側溝長手方向に伸びるクロスバー６３，６３……を直交させるとともに、メインバー６２，６２……の長手方向両端にエンドバー６４，６４を結合して、全体を格子状に組み立ててなるグレーチング用溝蓋６１である。そして、この隣り合うメインバー６２，６２間に、平鋼板等からなる蓄光体受部材６５，６５……を架設して溶接等で固定するとともに、この蓄光体受部材６５の上に蓄光性顔料を含有させた蓄光体６６をメインバー６２，６２……の上端面より上方へ突出することのないように固定しているものである。
【特許文献１】特許第３３６４７１４号
【特許文献２】特開２０００−１９０２号公報
【発明の開示】
【発明が解決しようとする課題】
【０００４】
しかし、この特許文献１に記載の如き溝蓋は、発光機能を有しないため、道路わきの側溝に使用された場合、災害などで停電した際に、通行者が、道路を認識することができず、避難することが困難であるという問題があった。
【０００５】
また、特許文献２に記載されている溝蓋は、夜間などの暗闇において、道路を認識することはできるものである。しかし、この溝蓋は、ドライバーや歩行者が、車道と歩道との境界を認識しやすいようにすることを目的としたものであり、避難方向を指し示すものではない。従って、災害時などにおいて、暗い状態の中で避難する際に、道路と歩道の境界を認識することができたとしても、道路のどちらの方向に避難すればよいかわからず、好適に避難ができないという問題があった。
【０００６】
本発明はこのような従来の問題に鑑み、夜間や、停電時などの暗い状態において発光し、避難方向などの進むべき方向（誘導方向）を示す発光誘導部材を備えたコンクリート製の側溝用蓋の提供を目的としてなされたものである。
【課題を解決するための手段】
【０００７】
上述の如き従来の問題を解決し、所期の目的を達成するための請求項１に記載の発明の特徴は、略方形状のコンクリート製の蓋本体を有し、該蓋本体には、側溝方向に並べて複数の貫通孔を有し、前記蓋本体の表面には、前記貫通孔に跨った配置に波板状の補強部材を有し、該補強部材は、前記蓋本体に表面が露出して埋設され、前記補強部材の表面には、前記側溝と平行に通水溝が複数形成され、該通水溝の底を構成する底板における前記貫通孔に対応する位置に水抜き穴を有する側溝用蓋において、前記通水溝内に、少なくとも表面に蓄光材を一体に有する細長状の発光誘導部材を嵌合させ、該発光誘導部材は、先端が平面視先細り形状に形成され、該先端が誘導方向を向く配置に設けられていることにある。
【０００８】
請求項２に記載の発明の特徴は、略方形状のコンクリート製の蓋本体を有し、該蓋本体には、側溝方向に並べて複数の貫通孔を有し、前記蓋本体の表面には、前記貫通孔に跨った配置に波板状の補強部材を有し、該補強部材は、前記蓋本体に表面が露出して埋設され、前記補強部材の表面には、前記側溝と平行に通水溝が複数形成され、該通水溝の底を構成する底板における前記貫通孔に対応する位置に水抜き穴を有する側溝用蓋において、前記通水溝内に、少なくとも表面に蓄光材を一体に有する細長状の発光誘導部材を嵌合させ、該発光誘導部材は、誘導方向前方側と誘導方向後方側に分けて複数配置され、前記誘導方向後方側よりも前記誘導方向前方側の前記発光誘導部材の数が少ないことにある。
【０００９】
請求項３に記載の発明の特徴は、請求項１又は２に記載の構成に加え、前記水抜き穴の前記側溝方向の長さを、前記貫通孔の前記側溝方向の長さよりも小さく形成し、前記水抜き穴の開口縁部を前記貫通孔に突出させて爪係合部となし、前記発光誘導部材の長さ方向両端下部には、該発光誘導部材の下方に突出し、前記水抜き穴内に挿入される脚部を備え、該脚部には、前記発光誘導部材の長さ方向内側に突出し、前記爪係合部に係合される爪部を有し、前記発光誘導部材が、前記脚部と前記爪部によって、前記通水溝の底板の前記水抜き穴と水抜き穴の間である水抜き穴間部を抱持して固定されていることにある。
【００１０】
請求項４に記載の発明の特徴は、請求項１，２又は３に記載の構成に加え、前記発光誘導部材の前記蓋本体表面側の面が、前記発光誘導部材の幅方向中心部が凹むように形成されていることにある。
【発明の効果】
【００１１】
本発明に係る側溝用蓋においては、側溝用蓋の表面の、側溝と平行に形成されている通水溝内に、先端が平面視先細り形状に形成され、少なくとも表面に蓄光材を一体に有する細長状の発光誘導部材を、先端が誘導方向を向く配置に嵌合させているので、この側溝用蓋を道路脇の側溝に設置すると、夜間などの暗い状態において、避難方向などの所望の方向を好適に指し示すことができる。
【００１２】
また、発光誘導部材を、通水溝内に、誘導方向前方側と誘導方向後方側に分けて複数配置し、誘導方向後方側よりも誘導方向前方側の発光誘導部材の数が少ない配置とすることにより、複数の発光誘導部材全体で、誘導したい方向を大きく指し示すことができ、誘導方向を認識し易くできる。
【００１３】
また、水抜き穴の側溝方向の長さを、貫通孔の側溝方向の長さよりも小さく形成し、水抜き穴の開口縁部を貫通孔に突出させて爪係合部となし、発光誘導部材の長さ方向両端下部には、発光誘導部材の下方に突出し、水抜き穴内に挿入される脚部を備え、脚部には、発光誘導部材の長さ方向内側に突出し、爪係合部に係合される爪部を有し、発光誘導部材が、脚部と爪部によって、通水溝の底板の水抜き穴と水抜き穴の間である水抜き穴間部を抱持するように固定されているので、側溝用蓋を製造する際に、発光誘導部材の取り付けが容易であり、また、好適に固定することができる。
【００１４】
更に、発光誘導部材の蓋本体表面側の面が、発光誘導部材の幅方向中心部が凹むように形成されているので、蓄光材の部分の配置を側溝用蓋の表面から、より奥まった配置とすることができ、車の走行などによって、発光誘導部材の表面の蓄光材部分が損傷するのを防止することができる。また、発光誘導部材の表面の面積が増加するので、発光誘導部材の表面の汚れが、そこを流れる水によって流され易い。
【発明を実施するための最良の形態】
【００１５】
次に本発明の実施の形態を図１〜１３に示した実施例に基づいて説明する。
【００１６】
図1〜５は、本発明に係る側溝用蓋の一例を示している。この側溝用蓋２０は、略方形状のコンクリート製の蓋本体２１と波板状の補強部材２３を有している。
【００１７】
蓋本体２１には、側溝方向に並べて複数の貫通孔２２，２２……が備えられている。この貫通孔２２，２２……は、開口部が略長方形状をしており、蓋本体２１の表裏に貫通開口している。また、貫通孔２２，２２……は、開口部の長辺が側溝と略平行となるように設置されている。そして、この貫通孔２２，２２……全てに跨った配置に波板状の補強部材２３が埋設されている。
【００１８】
この補強部材２３は、平面視略長方形状に形成され、その長辺が側溝と略平行となるように、蓋本体２１の幅方向の略中央に設置されている。また、補強部材２３は、その表面が蓋本体２１の表面に露出するように埋設されており、その表面には、側溝と平行に複数の通水溝２４，２４……を有している。そして、この通水溝２４，２４……内に、表面に蓄光材が一体に備えられた発光誘導部材２６，２６……が嵌合されて設置されている。
【００１９】
また、補強部材２３は、図９〜１１に示すように、平面視略長方形状の天板３１と、その長辺から下向きに設けられた略長方形状の側板３２，３２を有している。天板３１は、その表面に、天板３１の長辺に略平行な複数の通水溝２４，２４……と、その隣り合う通水溝２４，２４……の間及び天板３１の幅方向端部の凸部分である凸状部３３とを有する波板状に形成されている。
【００２０】
通水溝２４，２４……は、天板３１の長さ方向一端から他端まで連続して設けられており、その断面が、上方が開放されている溝の上部に比べ、底部が狭くなっているテーパ状に、即ち台形を逆にした形状に形成されている。
【００２１】
また、通水溝２４，２４……と隣り合う凸状部３３は、その頂面が平面状に形成され、その頂面に滑り止め用の小突起３４が所定の間隔をもって設けられている。また、凸状部３３の裏面側部分に、補強部材２３の長さ方向一端から他端まで、棒状の補強バー３５を設置してもよい。
【００２２】
また、通水溝２４，２４……は、その底を構成する底板２４ａの、蓋本体２１に備えられた貫通孔２２，２２……に対応する位置に、水抜き穴２５，２５……を有している。
【００２３】
この水抜き穴２５，２５……は、図２に示すように、貫通孔２２，２２……と連続しており、水が側溝用蓋２０の表面から、水抜き穴２５，２５……及び貫通孔２２，２２……を通って、側溝に流れるようになっている。また、水抜き穴２５，２５……は、通水溝方向（側溝方向）に縦長に形成されるとともに、幅方向は、通水溝２４の側面下部まで開口するように形成されている。そして、水抜き穴２５，２５……は、図２及び４に示すように、その側溝方向の長さが、貫通孔２２，２２……の側溝方向の長さよりも小さく形成されており、水抜き穴２５，２５……の側溝方向側の開口縁部を貫通孔２２，２２……の開口部中心方向に向かって突出させることによって爪係合部２７，２７……を形成している。
【００２４】
また、通水溝２４を有する天板３１の幅方向端部に備えられた側板３２，３２には、図１０に示すように、コンクリート導入孔３６，３６……が貫通開口するように設けられている。このコンクリート導入孔３６，３６……は、側板３２，３２において、通水溝方向に隣り合う水抜き穴２５の間の部分に相当する位置、即ち蓋本体２１に備えられた貫通孔２２，２２……と干渉しない位置に設けられている。このコンクリート導入孔３６，３６……を設けることにより、コンクリートと補強部材２３とが好適に固着するようしている。
【００２５】
このように形成された天板３１及び側板３２，３２を有する補強部材２３が蓋本体２１に、表面が露出するように埋設されている。そして、その補強部材２３の通水溝２４，２４……において、通水溝方向に隣り合う水抜き穴２５と水抜き穴２５の間の部分に、発光誘導部材２６，２６……が設置されている。
【００２６】
この発光誘導部材２６，２６……は、図６〜８に示すように、縦長で、その横断面形状が通水溝２４，２４……の横断面形状に合わせて形成され、通水溝２４，２４……に嵌るとともに、通水溝２４，２４……から上方に突出しないように形成されている。そして、その長さ方向の両端下部には、下方に突出する脚部２６ａ，２６ａを備え、発光誘導部材２６，２６……を通水溝２４，２４……に設置する際には、この脚部２６ａ，２６ａが水抜き穴２５，２５に挿入される。また、脚部２６ａ，２６ａ間は、通水溝方向に隣り合う水抜き穴２５と水抜き穴２５の間の距離と略等しく形成され、発光誘導部材２６，２６……を設置した際に、発光誘導部材２６，２６……が通水溝方向にずれ難いようになっている。
【００２７】
さらに、この脚部２６ａ，２６ａには、脚部２６ａ，２６ａ……の内側方向、即ち発光誘導部材２６，２６……の長さ方向内側に突出した爪部２６ｂ，２６ｂを備えている。この爪部２６ｂ，２６ｂは、水抜き穴２５，２５……の端部に形成された爪係合部２７，２７……に係合される。また、爪部２６ｂ，２６ｂの下面は、水抜き穴２５，２５……に挿入し易いように、断面形状がテーパ状に形成されている。
【００２８】
発光誘導部材２６，２６……を通水溝２４，２４……内に設置する際に、脚部２６ａ，２６ａが、押し込まれることによって爪部２６ｂ，２６ｂが逃げる方向、即ち、爪部２６ｂ，２６ｂの間隔が広がる方向に弾性変形し、脚部２６ａ，２６ａが好適に水抜き穴に挿入される。そして、脚部２６ａ，２６ａが所定の位置まで挿入されると、その弾性変形が元に戻り、発光誘導部材２６，２６……の本体部分と脚部２６ａ，２６ａと爪部２６ｂ，２６ｂによって、通水溝２４，２４……の底板２４ａの、通水溝方向に隣り合う水抜き穴２５と水抜き穴２５の間である水抜き穴間部２８を抱持して、発光誘導部材２６，２６……が固定されている。
【００２９】
また、発光誘導部材２６，２６……の、蓋の表面側にあたる面は、幅方向の中心部分が凹んでいるように形成されている。さらに、発光誘導部材２６，２６……の長さ方向の一方向側端部は、平面視先細り形状になっており、その一方側端部が誘導方向に向くように設置されて、誘導方向を指し示している。
【００３０】
そして、発光誘導部材２６，２６……の表面は、暗がりで発光するようになっている。これは、発光誘導部材の、側溝用蓋表面側の面に蓄光材を含む蓄光塗料層を形成することによって発光させるようにしてもよいし、或いは、発光誘導部材全体を蓄光性蛍光材（蓄光材）を含有する材料を使用して形成することによって発光させても良い。
【００３１】
この発光誘導部材２６，２６……は、誘導方向前方側と誘導方向後方側に分けて複数配置され、誘導方向後方側よりも、誘導方向前方側に存在する発光誘導部材の数が少ないように配置されている。本実施例においては、３つの通水溝２４，２４……の、真中の通水溝２４の誘導方向前方側に１つ、真中以外の通水溝２４，２４の誘導方向後方側に一つずつ、発光誘導部材２６が設置されている。
【００３２】
このように、発光誘導部材２６，２６……の配置を矢印の先端部分の形状などに擬した所定の方向を指し示す配置とすることにより、避難方向などの進むべき方向である誘導方向を指し示している。また、発光誘導部材２６，２６……は、その誘導方向側端部が平面視先細り状に形成されており、この形状によっても、道路の何れの方向に進めばよいか示している。
【００３３】
そして、この発光誘導部材２６，２６……を備えた側溝用蓋２０を側溝に、連続して、もしくは所定の間隔をおいて設置すると、道路に沿って発光誘導部材２６，２６……が並んでいる状態となり、停電時や夜間などの暗い状態のときであっても、道がわかる。また、発光誘導部材２６，２６……の形状及び配置から、道路のどちらの方向に進めばよいかがわかる。従って、災害時に避難する場所に通じる道路の側溝に、この側溝用蓋２０を設置して、発光誘導部材２６，２６……が道路の避難場所に向かう方向を指し示すようにすれば、暗い状態においても、好適に避難することができる。
【００３４】
尚、本実施例においては、補強部材２３は、蓋本体２１の幅方向の略中央に設置されているが、幅方向の一方側に片寄せた配置としてもよい。また、補強部材２３は１つであるが複数用いてもよい。
【００３５】
また、本実施例においては、先端が平面視先細り形状の発光誘導部材２６，２６……を複数使用して、全体として誘導方向を指し示す配置としているが、先端が平面視先細り形状の発光誘導部材２６，２６……を使用する際は、例えば、図１２に示すような縦一列配置などの、配置のみでは誘導方向がわからない配置としてもよい。
【００３６】
尚、先端が平面視先細り形状の発光誘導部材２６，２６……を使用する際は、発光誘導部材２６，２６……は１つでもよい。
【００３７】
また、本実施例においては、先端が先細り形状をした発光誘導部材２６，２６……を使用しているが、図１３に示すように、発光誘導部材２６，２６……を複数設置して、全体として誘導方向を指し示す配置としている場合は、発光誘導部材２６，２６……の形状は、先端が先細り形状である必要は無く、縦長状であればよい。
【図面の簡単な説明】
【００３８】
【図１】本発明に係る側溝用蓋の一例を示す平面図である。
【図２】同上のＡ−Ａ線断面部分拡大図である。
【図３】同上のＢ−Ｂ線断面部分拡大図である。
【図４】同上の底面図である。
【図５】同上の正面図である。
【図６】本発明に係る発光誘導部材の一例を示す平面図である。
【図７】同上の正面図である。
【図８】同上の側面図である。
【図９】本発明に係る側溝用蓋の発光誘導部材を設置した補強部材の一例を示す平面図である。
【図１０】同上の正面図である。
【図１１】同上の側面図である。
【図１２】本発明に係る側溝用蓋の他の実施例を示す平面図である。
【図１３】本発明に係る側溝用蓋の他の実施例を示す平面図である。
【図１４】従来の溝蓋を示す平面図である。
【図１５】従来の発光性標示機能を備えた溝蓋を示す平面図である。
【符号の説明】
【００３９】
２０  側溝用蓋
２１  蓋本体
２２  貫通孔
２３  補強部材
２４  通水溝
２４ａ  底板
２５  水抜き穴
２６  発光誘導部材
２６ａ  脚部
２６ｂ  爪部
２７  爪係合部
２８  水抜き穴間部
３１  天板  
３２  側板
３３  凸状部
３４  小突起
３５  補強バー
３６  コンクリート導入孔
５０  溝蓋
５１  水抜き金具
５２  凹面
５３  凸面
５４  水抜き口
６１  グレーチング用溝蓋
６２  メインバー
６３  クロスバー
６４  エンドバー
６５  蓄光体受部材
６６  蓄光体
【図１】
2008184743.tif 000003
【図２】
2008184743.tif 000004
【図３】
2008184743.tif 000005
【図４】
2008184743.tif 000006
【図５】
2008184743.tif 000007
【図６】
2008184743.tif 000008
【図７】
2008184743.tif 000009
【図８】
2008184743.tif 000010
【図９】
2008184743.tif 000011
【図１０】
2008184743.tif 000012
【図１１】
2008184743.tif 000013
【図１２】
2008184743.tif 000014
【図１３】
2008184743.tif 000015
【図１４】
2008184743.tif 000016
【図１５】
2008184743.tif 000017